(57)【要約】【課題】ニコチン、タールや灰などが含まれるタバコ吸殻消火水を処理するためのタバコ吸殻消火水処理装置およびタバコ吸殻消火水処理方法の提供。【解決手段】タバコ吸殻の消火水および乾燥促進剤が投入されるタンク３０と、このタンク３０周りに設けられて、このタンク３０を加熱するヒータ３１と、タンク３０内で回転し、消火水および乾燥促進剤を攪拌する攪拌羽根３２と、攪拌羽根３２に向けて消火水を噴出する噴出口３３ａと、タンク３０内に空気を導入し、通過させて排出させるための送風ファン３４とを備える。【選択図】図３
2010051926.tif 000002
【特許請求の範囲】
【請求項１】
タバコ吸殻の消火水に乾燥促進剤を加えること、
前記消火水および乾燥促進剤をヒータにより加熱しながら攪拌し、水分を蒸発させること
を含むタバコ吸殻消火水処理方法。
【請求項２】
タバコ吸殻の消火水および乾燥促進剤が投入されるタンクを、このタンク周りに設けられたヒータにより加熱すること、
前記消火水を、タンク内で回転する攪拌羽根に向けて噴出すること、
前記攪拌羽根により前記消火水および乾燥促進剤を攪拌すること、
送風ファンにより前記タンク内に空気を導入し、通過させて排出すること
を含むタバコ吸殻消火水処理方法。
【請求項３】
タバコ吸殻の消火水および乾燥促進剤が投入されるタンクと、
このタンク周りに設けられて、このタンクを加熱するヒータと、
前記タンク内で回転し、前記消火水および乾燥促進剤を攪拌する攪拌羽根と、
前記攪拌羽根に向けて前記消火水を噴出する噴出口と、
前記タンク内に空気を導入し、通過させて排出させるための送風ファンと
を備えたタバコ吸殻消火水処理装置。
【請求項４】
前記消火水が投入されるサブタンクと、
このサブタンク内の消火水を前記噴出口まで導く第１配管と、
この配管の途中から分岐して前記サブタンク内へ消火水を一部戻し、排出する第２配管と、
前記サブタンク内の消火水を前記第１配管へ圧送するためのポンプと
を備えた請求項３記載のタバコ吸殻消火水処理装置。
【請求項５】
前記タンク内から空気を排出する排気管内に、別途空気を噴出する配管を備えた請求項３または４に記載のタバコ吸殻消火水処理装置。
【発明の詳細な説明】
【技術分野】
【０００１】
本発明は、遊技場やショッピングモールなどにおいて回収されるタバコの吸殻の消火水を処理するタバコ吸殻消火水処理方法およびタバコ吸殻消火水処理装置に関する。
【背景技術】
【０００２】
遊技場やショッピングモールなどの人が集まる施設には喫煙コーナーが設置されている。この喫煙コーナーには、タバコの灰や吸殻などを回収し、消火する処理装置が備えられている。例えば、特許文献１には、パチンコ遊技機に設置される自動吸殻回収装置であって、遊技機の底部に溜まる吸殻等を搬送手段によって搬送し、消火水を入れた吸殻回収タンク内に回収する装置が開示されている。
【０００３】
【特許文献１】特開２００５−２３００３９号公報
【発明の開示】
【発明が解決しようとする課題】
【０００４】
ところが、従来、このタバコ吸殻の消火水の処理が問題となっている。回収されたタバコ吸殻の消火水は多くが浄化槽に捨てられるが、この消火水にはタバコ吸殻のニコチン、タールや灰などが含まれているため、これらによって浄化槽のバクテリアが死滅してしまい、浄化能力が低下し、浄化槽の排水がＢＯＤの排出基準値を満たさなくなってしまうという問題がある。
【０００５】
そこで、本発明においては、ニコチン、タールや灰などが含まれるタバコ吸殻消火水を処理するためのタバコ吸殻消火水処理方法およびタバコ吸殻消火水処理装置を提供することを目的とする。
【課題を解決するための手段】
【０００６】
本発明のタバコ吸殻消火水処理方法は、タバコ吸殻の消火水に乾燥促進剤を加えること、消火水および乾燥促進剤をヒータにより加熱しながら攪拌し、水分を蒸発させることを含むタバコ吸殻消火水処理方法である。本発明によれば、タバコ吸殻の消火水は乾燥促進剤とともに加熱、攪拌されることにより蒸発し、ニコチン、タールや灰などの固形分のみとなり、この残った固形分のみを廃棄処理することができる。
【０００７】
また、より好ましくは、本発明のタバコ吸殻消火水処理方法は、タバコ吸殻の消火水および乾燥促進剤が投入されるタンクを、このタンク周りに設けられたヒータにより加熱すること、消火水を、タンク内で回転する攪拌羽根に向けて噴出すること、攪拌羽根により消火水および乾燥促進剤を攪拌すること、送風ファンによりタンク内に空気を導入し、通過させて排出することを特徴とする。
【０００８】
本発明によれば、タバコ吸殻の消火水は、ヒータにより加熱されるタンク内で乾燥促進剤とともに攪拌され、乾燥処理される。これにより、タバコ吸殻の消火水に含まれる水分は蒸発し、この蒸発水分はタンク内に導入される空気とともに外部へ排出される。また、タンク内にはニコチン、タールや灰などの固形分のみが残るので、この残った固形分のみを廃棄処理することができる。また、乾燥処理の際、タンク内で回転する攪拌羽根に対して噴出口から消火水が噴出されるので、この攪拌羽根へのニコチン、タールや灰などの付着が防止される。
【０００９】
本発明のタバコ吸殻消火水処理装置は、タバコ吸殻の消火水および乾燥促進剤が投入されるタンクと、このタンク周りに設けられて、このタンクを加熱するヒータと、タンク内で回転し、消火水および乾燥促進剤を攪拌する攪拌羽根と、攪拌羽根に向けて消火水を噴出する噴出口と、タンク内に空気を導入し、通過させて排出させるための送風ファンとを備えたものである。
【００１０】
本発明によれば、タバコ吸殻の消火水は、ヒータにより加熱されるタンク内で乾燥促進剤とともに攪拌され、乾燥処理される。これにより、タバコ吸殻の消火水に含まれる水分は蒸発し、この蒸発水分はタンク内に導入される空気とともに外部へ排出される。また、タンク内にはニコチン、タールや灰などの固形分のみが残るので、この残った固形分のみを廃棄処理することができる。また、乾燥処理の際、タンク内で回転する攪拌羽根に対して噴出口から消火水が噴出されるので、この攪拌羽根へのニコチン、タールや灰などの付着が防止される。
【００１１】
また、本発明のタンク吸殻消火水処理装置は、さらに、消火水が投入されるサブタンクと、このサブタンク内の消火水を噴出口まで導く第１配管と、この配管の途中から分岐してサブタンク内へ消火水を一部戻し、排出する第２配管と、サブタンク内の消火水を第１配管へ圧送するためのポンプとを備えたものであることが望ましい。
【００１２】
これにより、サブタンク内に投入された消火水は、第２配管により一部戻される消火水により攪拌されながら、第１配管により噴出口まで導かれるので、消火水に含まれる灰などの固形分がサブタンク内に滞留することが防止される。また、一旦サブタンクに消火水を溜めてタンク内へ適宜供給することにより、タンク内での消火水の乾燥処理を効率良く行うことが可能となる。
【００１３】
また、本発明のタンク吸殻消火水処理装置は、タンク内から空気を排出する排気管内に、別途空気を噴出する配管を備えたものであることが望ましい。これにより、タンク内からエジェクタ方式により空気を外部へ放出することができ、空気を吸い出すためのファンを省略することができる。
【発明の効果】
【００１４】
（１）タバコ吸殻の消火水に乾燥促進剤を加え、消火水および乾燥促進剤をヒータにより加熱しながら攪拌し、水分を蒸発させる構成により、タバコ吸殻の消火水は蒸発し、ニコチン、タールや灰などの固形分のみが残る。これにより、タバコ吸殻消火水の処理は、このタンク内に残った固形分のみを廃棄処理すれば良く、簡単に処理することが可能となる。
【００１５】
（２）タバコ吸殻の消火水および乾燥促進剤が投入されるタンクを、このタンク周りに設けられたヒータにより加熱し、消火水を、タンク内で回転する攪拌羽根に向けて噴出し、攪拌羽根により消火水および乾燥促進剤を攪拌し、送風ファンによりタンク内に空気を導入し、通過させて排出する構成により、タバコ吸殻の消火水に含まれる水分は蒸発し、タンク内に導入される空気とともに外部へ排出され、ニコチン、タールや灰などの固形分のみがタンク内に残る。これにより、タバコ吸殻消火水の処理は、このタンク内に残った固形分のみを廃棄処理すれば良く、簡単に処理することが可能となる。また、乾燥処理の際、タンク内で回転する攪拌羽根に対して噴出口から消火水が噴出され、攪拌羽根へのニコチン、タールや灰などの付着が防止されるので、装置のメンテナンスも容易である。
【００１６】
（３）消火水が投入されるサブタンクと、このサブタンク内の消火水を噴出口まで導く第１配管と、この配管の途中から分岐してサブタンク内へ消火水を一部戻し、排出する第２配管と、サブタンク内の消火水を第１配管へ圧送するためのポンプとを備えることにより、サブタンク内に投入された消火水は、第２配管により一部戻される消火水により攪拌されながら、第１配管により噴出口まで導かれるので、消火水に含まれる灰などの固形分がサブタンク内に滞留することが防止され、ポンプの目詰まりを防止することができる。また、一旦サブタンクに消火水を溜めてタンク内へ適宜供給することにより、タンク内での消火水の乾燥処理を効率良く行うことが可能となり、処理量を増大することができる。また、タンクと別にサブタンクを設けるため、タンクを屋外に、サブタンクを屋内に配置することが可能である。
【００１７】
（４）タンク内から空気を排出する排気管内に、別途空気を噴出する配管を備えたものであることにより、タンク内からエジェクタ方式により空気を外部へ放出することができ、空気を吸い出すためのファンを省略することができる。
【発明を実施するための最良の形態】
【００１８】
図１は本発明の実施の形態におけるタバコ吸殻消火水処理装置の正面図、図２は図１のタバコ吸殻消火水処理装置本体の左側面図、図３は図１のタバコ吸殻消火水処理装置本体の断面図、図４は図３のＣ−Ｃ断面図、図５は図３のＤ−Ｄ断面図、図６は図１の貯水タンクの断面図、図７は図３のＡ部拡大図、図８は図３の攪拌羽根の拡大図、図９は図８のＢ矢視図である。
【００１９】
図１において、本発明の実施の形態におけるタバコ吸殻消火水処理装置は、タバコ吸殻消火水処理装置本体（以下、「本体」と称す。）１と、タバコ吸殻の処理水を貯留する貯水タンク２とから構成される。本体１の正面には、乾燥促進剤を投入するための投入口１０と、制御用スイッチ類１１とが設けられている。また、図２に示すように、本体１の左側面には、乾燥促進剤を排出するための排出口１２が設けられている。
【００２０】
図３から図５に示すように、本体１内には、タバコ吸殻の消火水および乾燥促進剤が投入されるタンク３０と、タンク３０周りに設けられた電気ヒータ３１と、タンク３０内で回転する攪拌羽根３２と、タバコ吸殻の消火水をタンク３０内に供給する消火水供給パイプ３３と、タンク３０内に空気を導入するための送風ファン３４と、攪拌羽根３２を回転させるためのモータ３５とが備えられている。
【００２１】
タンク３０は、図４および図５に示すように断面Ｕ字状に形成されている。この断面Ｕ字状のタンク３０の湾曲面の中心には回転軸３６が設けられている。攪拌羽根３２は、この回転軸３６に９０°ずつ位相をずらして４個設けられており、回転軸３６の回転時にタンク３０の湾曲面に沿って回転する。回転軸３６にはスプロケット３６ａが設けられており、チェーン３７によりモータ３５側のスプロケット３５ａと連結されている。
【００２２】
電気ヒータ３１は、断面Ｕ字状のタンク３０の湾曲部分の外側に設けられている。また、タンク３０の周りには、周囲の空気をタンク３０の上部からタンク３０内へ導入するための流路３８ｂ，３８ｃが形成されている。また、タンク３０の流路３８ｃと反対側には排気のための流路３９が形成されている。流路３９は排気管４０に接続されている。また、排気管４０内には、送風ファン３４により送風する空気を排気管４０内へ噴出するための配管３８ａが設けられている。これにより、タンク３０内の空気は送風ファン４０により送風する空気が排気管４０内へ噴出されて、いわゆるエジェクタ方式により外部へ吸い出され、タンク３０内へは流路３８ｂ，３８ｃを通じて周囲の空気が吸引され、導入される。また、タンク３０周りには、電気ヒータ３１および流路３８ｂ，３８ｃを含めて断熱材４１が設けられている。
【００２３】
図８および図９に示すように、攪拌羽根３２は、回転軸３６に固定された腕部３２ａと、正回転時にタンク３０内の消火水および乾燥促進剤を押して攪拌するための攪拌へら部３２ｂと、排出回転時にタンク３０内の乾燥促進剤を排出口１２まで押し出すための排出へら部３２ｃとから構成されている。攪拌へら部３２ｂは、攪拌羽根３２の正回転方向に対して垂直な面が形成されており、攪拌羽根３２の正回転時に消火水および乾燥促進剤をタンク３０内で攪拌する。一方、排出へら部３２ｃは、攪拌羽根３２の排出回転方向に対して傾斜させた面が形成されており、攪拌羽根３２の排出回転時にタンク３０内の乾燥促進剤を排出口１２方向へ押し出すようになっている。
【００２４】
消火水供給パイプ３３は、回転軸３６の真上に、かつ回転軸３６と平行に設けられている。消火水供給パイプ３３には回転軸３６に向けて消火水を噴出するための噴出口３３ａが所定間隔で複数個設けられている。この噴出口３３ａから回転軸３６に向けて消火水を噴出することにより、回転軸３６および回転軸３６とともに回転する攪拌羽根３２に消火水が噴射される。
【００２５】
貯水タンク２は、消火水が投入されるサブタンク２０と、サブタンク２０内の消火水を消火水供給パイプ３３へ導く第１配管２１と、第１配管２１の途中から分岐してサブタンク２０内へ消火水を一部戻し、排出する第２配管２２と、サブタンク２０内の消火水を第１配管２１へ圧送するためのポンプ２３と、第１配管２１の途中に設けられたバルブ２４と、サブタンク２０内に消火水を投入するための投入口２５と、サブタンク２０内の水位を検出するレベルセンサ２６とを備えている。投入口２５にはタバコ吸殻と消火水とを分離するための濾器が設けられている。
【００２６】
上記構成のタバコ吸殻消火水処理装置では、タバコ吸殻の消火水を貯水タンク２の投入口２５からサブタンク２０内に投入する。投入口２５にはタバコ吸殻と消火水とを分離するための濾器が設けられているので、タバコ吸殻は濾器に捕捉され、消火水のみがサブタンク２０内へ流入する。サブタンク２０内の消火水はポンプ２３により第１配管２１を通じて本体１の消火水供給パイプ３３へ供給される。このとき、第１配管２１は途中に設けられたバルブ２４により絞られているので、一部の消火水は第２配管２２へ分岐してサブタンク２０の底部へ排出される。これにより、サブタンク２０内の消火水が攪拌され、消火水に含まれるニコチン、タールや灰などの固形分がサブタンク２０内に滞留することが防止される。
【００２７】
また、この貯水タンク２には、サブタンク２０内の水位を検出するレベルセンサ２６が設けられており、所定の水位以下となるときにポンプ２３を停止するように制御することによって、貯水タンク２内に常時消火水が貯められる。これにより、サブタンク２０内が万が一温度異常になった場合には、冷却水として貯水タンク２内からタンク３０内へ消化水を供給することが可能である。
【００２８】
一方、本体１のタンク３０内には、投入口１０から乾燥促進剤が投入される。本実施形態における乾燥促進剤は、脱臭剤としても機能するものであり、大鋸屑、竹炭および竹酢液から構成される。大鋸屑は主に乾燥促進剤として機能し、竹炭および竹酢液は主に脱臭剤として機能する。なお、乾燥促進剤としては、消火水の水分を吸収して蒸発を促進させるものであれば良い。また、消臭剤としては、消臭作用のあるものであれば良く、竹炭以外の活性炭を使用することも可能である。
【００２９】
貯水タンク２から供給された消火水は、消火水供給パイプ３３の噴出口３３ａから下方へ向けて噴出される。噴出された消火水は、回転軸３６および攪拌羽根３２に付着するニコチン、タールや灰などの固形分を叩き落としながら、タンク３０内に溜まる。そして、タンク３０内に投入された乾燥促進剤と接触し、電気ヒータ３１によって加熱されながら正回転方向に回転する攪拌羽根３２によって攪拌される。これにより、消火水に含まれる水分は蒸発し、配管３８ｂ，３８ｃにより供給される空気に吸収されて排気管４０より外部へ排出される。
【００３０】
一方、本体１のタンク３０内には、水分が除去されたニコチン、タールや灰などの固形分のみが残る。この固形分は、回転軸３６を正回転方向とは逆方向の排出回転方向に回転させることによって、攪拌羽根３２により排出口１２へ押し出すことができる。これにより、タンク３０内に残った固形分を取り出し、廃棄処理する。なお、本実施形態におけるタンク吸殻消火水処理装置では、大部分の水分を除去すれば良く、多少の水分を含んでいたとしてもタンク３０内に残る固形分は少ないため、処理が簡単である。
【００３１】
また、このタンク吸殻消火水処理装置では、乾燥処理の際、タンク３０内で回転する回転軸３６および攪拌羽根３２に対して噴出口３３ａから消火水が噴出され、回転軸３６および攪拌羽根３２へのニコチン、タールや灰などの付着が防止されるので、装置のメンテナンスが容易に行える。
【００３２】
また、本実施形態におけるタンク吸殻消火水処理装置は、タンク３０周りが電気ヒータ３１および流路３８ｂ，３８ｃを含めて断熱材４１により覆われているため、電気ヒータ３１により流路３８ｂ，３８ｃを通過する空気およびタンク３０内の消火水を加熱する際の熱量を無駄に消費することがなく、省エネルギである。
【００３３】
また、このタンク吸殻消火水処理装置では、図７に示すようにタンク３０内から空気を排出する排気管４０内に、送風ファン３４により送風する空気を噴出する配管３８ａを備え、タンク３０内からエジェクタ方式により空気を外部へ放出するので、空気を吸い出すためのファンを省略している。また、これにより、送風ファン３４の羽根の部分を水蒸気が通過しないので、送風ファン３４の寿命を長持ちさせることができる。
【００３４】
また、このタンク吸殻消火水処理装置では、貯水タンク２のサブタンク２０に消火水を溜めてタンク３０内へ適宜供給するので、タンク３０内での消火水の乾燥処理を効率良く行うことが可能であり、大量の消火水を処理することができる。また、サブタンク２０内に投入された消火水は、第２配管２２により一部戻される消火水により攪拌されるので、消火水に含まれる灰などの固形分がサブタンク２０内に滞留することが防止されており、ポンプ２３の目詰まりが防止されている。
【００３５】
また、本実施形態におけるタンク吸殻消火水処理装置は、本体１と別に貯水タンク２が設けられているため、遊技場やショッピングモールの屋内などに貯水タンク２を設置し、本体１を屋外に設置することが可能である。また、このように本体１を屋外に設置する場合、制御用スイッチ類１１は本体１から分離して屋内に設置することも可能である。
【産業上の利用可能性】
【００３６】
本発明のタバコ吸殻消火水処理方法およびタバコ吸殻消火水処理装置は、遊技場やショッピングモールなどにおいて回収されるタバコの吸殻の消火水を処理する方法および装置として有用である。
【図面の簡単な説明】
【００３７】
【図１】本発明の実施の形態におけるタバコ吸殻消火水処理装置の正面図である。
【図２】図１のタバコ吸殻消火水処理装置本体の左側面図である。
【図３】図１のタバコ吸殻消火水処理装置本体の断面図である。
【図４】図３のＣ−Ｃ断面図である。
【図５】図３のＤ−Ｄ断面図である。
【図６】図１の貯水タンクの断面図である。
【図７】図３のＡ部拡大図である。
【図８】図３の攪拌羽根の拡大図である。
【図９】図８のＢ矢視図である。
【符号の説明】
【００３８】
１  タバコ吸殻消火水処理装置本体
１０  投入口
１１  制御用スイッチ類
１２  排出口
３０  タンク
３１  電気ヒータ
３２  攪拌羽根
３２ａ  腕部
３２ｂ  攪拌へら部
３２ｃ  排出へら部
３３  消火水供給パイプ
３３ａ  噴出口
３４  送風ファン
３５  モータ
３５ａ  スプロケット
３６  回転軸
３６ａ  スプロケット
３７  チェーン
３８ａ，３８ｂ，３８ｃ，３９  流路
４０  排気管
４１  断熱材
２  貯水タンク
２０  サブタンク
２１  第１配管
２２  第２配管
２３  ポンプ
２４  バルブ
２５  投入口
２６  レベルセンサ
【図１】
2010051926.tif 000003
【図２】
2010051926.tif 000004
【図３】
2010051926.tif 000005
【図４】
2010051926.tif 000006
【図５】
2010051926.tif 000007
【図６】
2010051926.tif 000008
【図７】
2010051926.tif 000009
【図８】
2010051926.tif 000010
【図９】
2010051926.tif 000011